(57)【特許請求の範囲】
【請求項１】
室外機と、複数の室内機と、運転停止や温度設定の表示及び操作が可能とされたリモコンと、を有する空気調和機システムにおいて、
前記リモコンと空調ネットワークで接続された空調集中管理装置と、前記空調集中管理装置とインターネットを介して接続されデータベース化された広告情報を有した管理センタと、を備え、予め空調ネットワークの所有者又は使用者と前記管理センタで決定した前記広告情報を前記インターネット経由で前記空調集中管理装置へダウンロードし、前記リモコンの操作が所定時間以上されない場合、前記リモコンに前記決定した広告情報を表示することを特徴とする空気調和機システム。
【請求項２】
室外機と、複数の室内機と、運転停止や温度設定の表示及び操作が可能とされたリモコンと、前記リモコンと空調ネットワークで接続された空調集中管理装置と、該空調集中管理装置とインターネットを介して接続された管理センタと、を有する空気調和機システムであって、
前記管理センタは広告情報の配信を希望する企業の応募を行い、前記空調ネットワークの所有者又は使用者に対し前記広告情報の受付可能の登録を募集し、前記所有者又は使用者は登録した前記企業の前記広告情報を前記リモコンへ配信して表示することを特徴とする空気調和機システム。
【請求項３】
請求項２に記載のものにおいて、前記管理センタは広告情報の配信を希望した企業のリストをホームページ化してインターネットを介して閲覧可能とし、前記空調ネットワークの所有者又は使用者は前記ホームページで前記広告情報の受付可能の登録を行うことを特徴とする空気調和機システム。
【請求項４】
請求項２又は３に記載のものにおいて、管理センタは前記広告情報の配信を希望した企業から広告掲載料を徴収し、前記空調ネットワークの所有者又は使用者に対して前記リモコンの使用料を支払うことを特徴とする空気調和機システム。
【請求項５】
請求項２に記載のものにおいて、前記リモコンはインターネットを介して前記管理センタのホームページの閲覧が可能とされたことを特徴とする空気調和機システム。
【発明の詳細な説明】
【０００１】
【発明の属する技術分野】
本発明は、ホテル、病院などで用いられるビル用マルチ空気調和機などの空気調和機システムに係わり、特に各室内機の運転、グループ制御などに用いられるリモコンを有効利用するものに好適である。
【０００２】
【従来の技術】
従来、ビル用マルチ空気調和機において、室内ユニット等の運転を開始、停止したり、室温を設定するリモコンが用いられ、運転状態のみならず、風向表示、風量、フィルタサイン、などの表示がされている。また、リモコンに異常状態を表示することなども知られ、例えば、特開平１０−１９３５１号公報に記載されている。また、室外機、室内機などをパーソナルコンピュータへネットワーク接続してシステム展開を容易にすることが、例えば特開平９−７９６５４号公報に記載されている。さらに、小規模な事業形態の広告依頼者であっても広告が出しやすい広告情報の供給方法としてサーバ、インターネットを用いることが、例えば特開平９−３４９０２号公報に記載されている。
【０００３】
【発明が解決しようとする課題】
上記従来技術においては、マルチ空気調和機を管理するリモコン等はそれぞれ空気調和機として専用の表示内容、表示機能を持っているので、他の用途には適用が困難であった。また、ネットワークを介して空気調和機とパーソナルコンピュータを接続したものでは、そのネットワークを有効利用することに関しては充分と言い難いものであった。さらに、特開平９−３４９０２号公報のものではコンピュータシステムを用いて広告情報を供給するので、リアルタイムに掲載、更新できる点では良いが、特定顧客を対象にすることを特に考慮していないため、顧客を適切に把握するいわゆる広告効果についてはその期待が充分とは言えないものであった。
【０００４】
本発明の目的は、空調管理ネットワーク資産を有効に活用し、特定の消費者に各人のニーズに適した専用広告宣伝を容易に行なうことのできる情報提供機能を備えた空気調和機システムを提供することにある。
【０００５】
【課題を解決するための手段】
上記課題を解決するため、本発明は、室外機と、複数の室内機と、運転停止や温度設定の表示及び操作が可能とされたリモコンと、を有する空気調和機システムにおいて、前記リモコンと空調ネットワークで接続された空調集中管理装置と、前記空調集中管理装置とインターネットを介して接続されデータベース化された広告情報を有した管理センタと、を備え、予め空調ネットワークの所有者又は使用者と前記管理センタで決定した前記広告情報を前記インターネット経由で前記空調集中管理装置へダウンロードし、前記リモコンの操作が所定時間以上されない場合、前記リモコンに前記決定した広告情報を表示するものである。
【０００６】
また、本発明は、室外機と、複数の室内機と、運転停止や温度設定の表示及び操作が可能とされたリモコンと、前記リモコンと空調ネットワークで接続された空調集中管理装置と、該空調集中管理装置とインターネットを介して接続された管理センタと、を有する空気調和機システムであって、前記管理センタは広告情報の配信を希望する企業の応募を行い、前記空調ネットワークの所有者又は使用者に対し前記広告情報の受付可能の登録を募集し、前記所有者又は使用者は登録した前記企業の前記広告情報を前記リモコンへ配信して表示するものである。
【０００７】
さらに、上記のものにおいて、前記管理センタは広告情報の配信を希望した企業のリストをホームページ化してインターネットを介して閲覧可能とし、前記空調ネットワークの所有者又は使用者は前記ホームページで前記広告情報の受付可能の登録を行うことが望ましい。
【０００８】
さらに、上記のものにおいて、管理センタは前記広告情報の配信を希望した企業から広告掲載料を徴収し、前記空調ネットワークの所有者又は使用者に対して前記リモコンの使用料を支払うことが望ましい。
【０００９】
さらに、上記のものにおいて、前記リモコンはインターネットを介して前記管理センタのホームページの閲覧が可能とされたことが望ましい。
【００１２】
【発明の実施の形態】
以下、本発明の実施の形態を図面に基づいて詳細に説明する。
図１は、一実施の形態を示す全体構成図であり、ビル用マルチ空気調和機１００、管理センタ２００、メンバー専用ＣＭ（広告情報）受付可能の企業リストホームページ３００、管理センタ２００とＣＭ配信契約をしているＣＭ依頼企業４００を示している。企業リストホームページ３００、管理センタ２００、ＣＭ依頼企業４００は、それぞれインターネットと接続され、情報の受発信を行う。管理センタ２００は、Ｗｅｂを企業システムやＥＣ（電子商取引）のプラットフォームとするためにＷｅｂブラウザをクライアント環境に想定したＷｅｂアプリケーション・サーバであり、通常はＡＳＰ（Ａｐｐｌｉｃａｔｉｏｎ  Ｓｅｒｖｉｃｅ  Ｐｒｏｖｉｄｅｒ）と呼ばれるサービス事業者が運営することが良い。
【００１３】
空調ネットワーク１０４は、空調機１０１、空調機の設定及びＣＭ・社内情報掲示等を行う高機能なリモコン１０２、空調機１０１の集中管理及びリモコン１０２に対する表示情報の配信及びインターネット５００への接続される空調集中管理装置１０３となるＰＣ、を相互接続してイントラネット又は空調専用ネットを構成している。リモコン１０２は、空調機１０１の運転停止や温度設定の表示及び操作を行い、空調集中管理装置１０３は、リモコン１０２と接続されるとともに、インターネット５００を介してＨＴＭＬデータ等を受信可能とされている。
【００１４】
予め空調ネットワーク１０４の所有者又は使用者と管理センタ２００で決められた社内情報やＣＭ等のコンテンツを、インターネット５００経由で空調集中管理装置１０３に配信、ダウンロードすれば、リモコン１０２が空調機１０１の運転停止、温度設定等に使用されていない間、リモコン１０２の表示画面にコンテンツを掲示することで、リモコン１０２を電子掲示板として使用する。
【００１５】
図２は、リモコン１０２が空調機１０１の運転停止、温度設定等に使用されているときの表示画面６００の例を示す。
【００１６】
ユーザ（使用者）は、空調機１０１の系統選択６０１と号機選択６０２により制御を実施したい任意の空調機１０１を選択する。選択された空気調和機の温度設定６０３、設定風量６０４、ルーバの位置設定６０５、運転モード６０６、発停６０７、リモコンの許可あるいは禁止設定６０８等を任意の状態に設定する。
【００１７】
設定温度は数値表示６０３し、上昇、下降ボタンをクリックすることで数値を可変できる。運転モードは、送風、冷房、暖房、ドライ、自動６０６などをボタン表示し、それぞれ指定する。風量は、自動６０４、弱風、強風、急風のようにボタン表示し、クリックすることで指定がされる。ルーバ設定は、オート、セット６０５、ルーバの位置を段階的に変化させて表示する模擬表示部分などを設ける。風向を設定するときは、室内機のルーバの動きに合わせて表示が変化しているときにセット６０５のボタンをクリックし、その表示の変化を停止して停止した表示位置に関連して室内機のルーバの位置を決定する。リモコンの許可あるいは禁止設定６０８等は、図のように各項目、全機能、運転停止、運転切換、風量、温度、ルーバを表示し、それぞれ許可、停止のボタンを設ける。
【００１８】
各操作ボタンが一定時間以上入力されない場合は、リモコン１０２の表示画面に図２の画面から図３のような画面の広告情報などのコンテンツを表示する。図３は、広告情報の表示例７００であり、店舗情報７０１、特別なニュースリリース７０２、商品情報７０３、別ページへのリンクボタン７０４などが設けられる。
【００１９】
ＡＳＰサービス事業者となる管理センタ２００は、空調ネットワーク１０４の所有者又は使用者に対し、企業リストホームページ３００への登録を募集し、応募した広告情報の配信を希望する会社名を掲載する。管理センタ２００は、リストホームページ３００の閲覧を希望する企業とメンバー契約を行い、広告掲載料を電子商取引により契約料金を徴収する。
【００２０】
ＣＭ配信を希望する企業は、管理センタ２００を仲介として、特定の空調ネットワーク１０４の所有者又は使用者に対して、専用のＣＭを配信することができるので、特定顧客を対象にして顧客ニーズに合った情報を提供できる。よって、その広告効果を高めて、自社の商品の購入に結びつけることが容易となる。
【００２１】
また、管理センタ２００は、特定の情報あるいは広告情報の受付可能の登録を募集し、空調ネットワーク１０４の所有者又は使用者は、リモコン１０２の表示画面上に管理センタ２００のホームページでを指定しリモコン１０２の表示する、あるいはＣＭの掲示を受付けることが可能であることを登録する。
【００２２】
管理センタ２００のホームページは、空調ネットワーク１０４の所有者又は使用者のリストをメンバー契約を行った企業に閲覧可能とし、そのホームページを閲覧した企業が、リスト上の特定又は不特定の空調ネットワーク１０４の所有者又は使用者に対してＣＭ配信を希望する場合、広告掲載料とＣＭ内容を管理センタ２００に提示する。管理センタ２００は、空調ネットワーク１０４の所有者又は使用者に対してリモコン使用料とＣＭ内容を連絡し、ＣＭ掲載の契約を行う。さらに、管理センタ２００は、ＣＭ配信を希望する企業から電子商取引により広告掲載料を徴収し、ＣＭを配信する。
【００２３】
管理センタ２００は、空調ネットワーク１０４の所有者又は使用者に対して、リモコン使用料を支払う。これにより、空調ネットワーク１０４の所有者又は使用者は、複数のＣＭ配信企業と直接の取引契約を結ぶことなく、リモコン１０２を含む空調ネットワークのインフラ資産を有効に活用することができる。
【００２４】
また、ホームページの閲覧が可能とされたリモコン１０２を空気調和機システムの所有者又は使用者に対して貸付け、このリモコン１０２に空調機１０１の室内機の運転停止や温度設定の表示及び操作を可能とすれば、空気調和機システムの所有者又は使用者の費用負担を削減することができる。
【００２５】
さらに、例えば病院等であれば、リモコン１０２へ表示する情報を広告情報のみならず、例えば各診療科ごとの待合時間、診察順序、支払いの受付け状態などを示すものとすれば、一層の効率的な運用が可能となる。
【００２６】
【発明の効果】
以上述べたように本発明によれば、空調管理ネットワーク資産を活用し、特定の消費者等に各人のニーズに適した情報、専用広告宣伝を容易に行なうことができる。
【図面の簡単な説明】
【図１】本発明による一実施の形態である空気調和機システムを示す全体構成図。
【図２】本発明による一実施の形態であるリモコンの表示画面。
【図３】本発明による一実施の形態であるリモコンに広告情報を表示した画面。
【符号の説明】
１０１…空調機、１０２…リモコン、１０３…空調集中管理装置、１０４…空調ネットワーク、２００…管理センタ、５００…インターネット。
【図１】
0003567205.tif 000002
【図２】
0003567205.tif 000003
【図３】
0003567205.tif 000004